(57)【要約】  ケーブル導入口装置（１００、５００、６００）の被覆（２００、５１０、６２０）を支持するためのコア（１１０、１５０）。このコアは、ロック手段（１１２、１１３ａ、１１３ｂ、１５２、１５３ａ、１５３ｂ）に結合した少なくとも一つの中間部（１１１、１５１ａ、１５１ｂ）を含む。このロック手段は、コアを周囲材料の孔に挿入したときそれを直ちにこの周囲材料に固定するために中間部に結合してある。
2007524213.tif 000002
【特許請求の範囲】
【請求項１】
ケーブル導入口装置（１００、５００、６００）の被覆（２００、５１０、６２０）を支持するためのコア（１１０、１５０）であって、フランジおよび（１１２、１５２）に結合した少なくとも一つの軸方向に伸びる中間部（１１１、１５１ａ、１５１ｂ）およびコアを周囲材料の孔に挿入したときそれを直ちに周囲材料に固定するためのロック手段（１１２、１１３ａ、１１３ｂ、１５２、１５３ａ、１５３ｂ）に特徴があるコア。
【請求項２】
請求項１によるコアであって、ロック手段が戻り止め（１１３ａ、１１３ｂ、１５３ａ、１５３ｂ）を含むことを特徴とするコア。
【請求項３】
請求項１または請求項２によるコアであって、フランジ（１１２、１５２）および戻り止め（１１３ａ、１１３ｂ、１５３ａ、１５３ｂ）が対向する支持面（１５６ａ、１５６ｂ、１５７）を有することを特徴とするコア。
【請求項４】
請求項３の何れかによるコアであって、フランジ（１５２）および戻り止め（１５３ａ、１５３ｂ）の支持面（１５６ａ、１５６ｂ、１５７）が平行であることを特徴とするコア。
【請求項５】
請求項２ないし請求項４の何れかによるコアであって、中間部（１５１ａ、１５１ｂ）の第１端から第２端の方へ伸びる柔軟部（１５４ａ、１５４ｂ）に特徴があり、戻り止め（１５３ａ、１５３ｂ）がこの柔軟部の第２端に設けてあるコア。
【請求項６】
請求項５によるコアであって、柔軟部（１５４ａ、１５４ｂ）の基部（１５８）での厚さがこの柔軟部の残りの部分の厚さより薄いことを特徴とするコア。
【請求項７】
請求項２または請求項３によるコアであって、フランジ（１１２、１５２）が中間部の第１端に結合してあり、および戻り止め（１１３ａ、１１３ｂ）が中間部（１１１）第２端に結合してあり、戻り止めがフランジ（１１２）の周辺の方へ外方に伸びることを特徴とするコア。
【請求項８】
先行する請求項の何れかによるコアであって、歪み軽減をもたらすための手段（１１４、６４０）に特徴があるコア。
【請求項９】
請求項８によるコアであって、歪み軽減をもたらすための手段がコアの中心の方へ半径方向におよびケーブルをコアに挿入する方向に伸びる柔軟な舌片（１１４、６４０）を含むことを特徴とするコア。
【請求項１０】
請求項９によるコアであって、舌片（１１４、６４０）の長さが交互することを特徴とするコア。
【請求項１１】
請求項９または請求項１０によるコアであって、歪み軽減をもたらすための手段（１１４）が中間部の内周に結合してあることを特徴とするコア。
【請求項１２】
請求項８ないし請求項１０の何れかによるコアであって、歪み軽減をもたらすための手段（６４０）がコアに着脱式に結合してあることを特徴とするコア。
【請求項１３】
先行する請求項の何れかによるコアであって、少なくとも中間部（１１１、１５１ａ、１５１ｂ）が柔軟な被覆（２００、５１０、６２０）で囲まれていることを特徴とするコア。
【請求項１４】
請求項１３によるコアであって、被覆（２００、５１０、６２０）が柔軟部（１５４ａ、１５４ｂ）を囲むことを特徴とするコア。
【請求項１５】
請求項１３ないし請求項１４の何れかによるコアであって、柔軟な被覆（２００）が歪み軽減をもたらすための手段（１１４）を囲むためのリップ（２４６）を含むことを特徴とするコア。
【請求項１６】
請求項１１または請求項１２によるコアであって、被覆（５１０）が、ケーブルを挿入したときそれに当接するためにコア（１５０）の縦方向に伸びる内面（５６０）を有する導入口を含み、圧縮されたときこの導入口をコア（１５０）が支持することを特徴とするコア。
【請求項１７】
請求項１ないし請求項１６の何れかによるコアを、ケーブル（１）と周囲材料の間のスペースを封止するためのケーブル導入口装置として、被覆（４００、５１０、６２０）（５００、６００）と共に使い、この被覆が、被覆の外周に窪み（４１０）によって作り、その間に上記材料を受けるための第１および第２封止部材（４２０、４３０）を含む使用法であって、被覆が、ケーブル導入口装置を周囲材料の孔に挿入する間、第２封止部材を一時的に受けるための手段（４４０、４４１、４４２）を含むことを特徴とする使用法。
【請求項１８】
請求項１７による使用法であって、第２封止部材を一時的に受けるための手段が、第２封止部材（４３０）の厚さの相当する深さを有する被覆の窪みを含むことを特徴とする使用法。
【請求項１９】
請求項１７による使用法であって、封止部材を一時的に受けるための手段が第１および第２部分（４４１、４４２）を有する被覆の不規則面（４４０）を含み、第１部分が、この装置の寸法が合わせてある、孔の直径に相当する直径を有し、および第２部分の直径プラス第２封止部材（４３０）の厚さの２倍が上記孔の直径に相当することを特徴とする使用法。
【請求項２０】
請求項１９による使用法であって、第２部分（４４２）が孔に挿入されたとき少なくとも部分的にそれを貫通することを特徴とする使用法。
【請求項２１】
請求項１７ないし請求項２０の何れかによる使用法であって、第１および第２封止部材（４２０、４３０）が被覆に柔軟に結合してあることを特徴とする使用法。
【請求項２２】
請求項１７ないし請求項２１の何れかによる使用法であって、第１封止部材（４２０）の自由端での直径が第２封止部材（４３０）の自由端の直径より小さいことを特徴とする使用法。
【請求項２３】
請求項１７ないし請求項２２の何れかによる使用法であって、第１封止部材（４２０）が被覆の第１端から第２封止部材の方へ外方に伸び、および第２封止部材（４３０）が被覆の第２端から第１封止部材の方へ外方に伸びることを特徴とする使用法。
【請求項２４】
請求項１７ないし請求項２３の何れかによる使用法であって、第１封止部材が周囲材料の孔に挿入されたとき、被覆にバイアス力を加えることを特徴とする使用法。
【請求項２５】
請求項１７ないし請求項２４の何れかによる使用法であって、第１および第２封止部材の自由端（２２０、２３０、４２０、４３０）は、ケーブル導入口装置を周囲材料の孔に挿入したとき、それぞれ、周囲材料の第１および第２側に当接することを特徴とする使用法。
【発明の詳細な説明】
【技術分野】
【０００１】
本発明は、ケーブル導入口装置用コアに関し、更に詳しくはケーブル導入口を挿入する材料の孔にこのケーブル導入口を固定するためのコアに関する。
【背景技術】
【０００２】
ケーブルまたは導管を材料の孔に挿入する場合、このケーブルを損傷から護り且つ材料の一方側を他方の側から封止するために利用できる方法が多数ある。ケーブルを周囲環境から、例えば、キュービクル（小部屋）の、内部環境へ挿入するならば、このケーブルを挿入するためにキュービクルに孔が作られる。
【０００３】
ゴムケーブル導入口またはグロメットをキュービクルの孔の中にきつく挿入してもよく、そうすればケーブルをこのケーブル導入口に挿入して、キュービクルの内部環境を周囲環境から封止することができる。しかし、この種のケーブル導入口は、ケーブルをケーブル導入口に固定しない。また、それはケーブル導入口を周囲材料に固定せず、比較的容易に孔から押出されるかも知れない。この技術で既知のゴムケーブル導入口は、フランジを含み、それらフランジの間に、ケーブル導入口を挿入する材料を受ける。これらのフランジは、この材料のそれぞれの側で孔から外方に伸び、封止をする。しかし、ケーブル導入口を孔に挿入するとき、フランジの一つを孔に押通さねばならない。このフランジの材料を通過させるためには圧縮しなければならない。その代りに、フランジの一部をそのとき孔に押通し、そうすればフランジの材料をそれ程には圧縮する必要がない。しかし、そのようなケーブル導入口の組立は、特に、毎日数百個のケーブル導入口を取付けるかも知れない組立工には、厄介である。ゴムケーブル導入口の更に別の問題は、それが所定の厚さの材料にしか嵌らないことである。厚さが違うと、別のケーブル導入口が必要である。
【０００４】
この技術で既知のもう一つのケーブル導入口は、それを周囲材料に固定し、且つケーブルをケーブル導入口に固定する問題を解決する。そのようなケーブル導入口は、一般的に、幾つかの成分を含み、柔軟な封止コアを備えるむく材料で作ってある。このケーブル導入口を、例えば、キュービクルに結合するためには、取付け具の円筒形主部が、キュービクルの孔に入れる前に、封止リングを備えなければならない。更に、この主部は、主部をねじ付きナットによってキュービクルに固定するために、ねじを備える。その代りとしては、周囲材料それ自体にねじが切ってある。この主部の内部は、ケーブルを囲むスペースの封止に備えるブッシュである。また、この主部は、把持舌片を備え、それが、主部にキャップをねじ込むとき、ブッシュをケーブルの方へ押付け、ケーブルの封止と固定の両方をする。
【０００５】
固定するケーブル導入口には、それが幾つかの構成部品を含み、スペースを食う設計であり、そして組立が厄介であるので問題がある。また、ケーブルをケーブル導入口に挿入し、キャップをねじ込んで舌片をケーブルの方へ押付けるとき、ケーブルを引張るとどちらかの方向に滑ることがあるので、完全に固定されないかも知れず、およびこれらの舌片がケーブルの被膜を損傷するかも知れない。更に、ケーブル導入口は、異なる厚さの周囲材料に対して手動で調整可能であるが、ナットを使うこのケーブル導入口の組立は、特に狭いスペースで組立てるならば、厄介かも知れない。
【発明の開示】
【発明が解決しようとする課題】
【０００６】
発明の目的は、ケーブル導入口を材料の孔に挿入するとき、このケーブル導入口を材料に直ちに結合できるようにする、ケーブル導入口またはグロメット装置用コアを提供することである。発明のもう一つの目的は、ケーブル導入口を挿入する孔を有する材料にケーブル導入口を解放可能に結合できるようにする、ケーブル導入口またはグロメット装置用コアを提供することである。発明の更なる目的は、ケーブル導入口に挿入したケーブルの歪み軽減をもたらす、ケーブル導入口またはグロメット装置用コアを提供することである。
【課題を解決するための手段】
【０００７】
ケーブル導入口装置の被覆を支持するための発明によるコアが上記目的を達成する。このコアは、例えば、フランジおよび戻り止めを含む、ロック手段に結合した少なくとも一つの中間部を含む。ロック手段は、コアを周囲材料の孔に挿入したとき、コアを周囲材料に直ちに固定する。中間部は、軸方向に伸び、この中間部の外周の第１端の周りに設けたフランジ、およびその第２端で外周に配置した戻り止めを有する。
【０００８】
各戻り止めは、中間部の第１端から第２端の方へ伸びる柔軟部に配置してもよい。この柔軟部の基部での厚さは、柔軟部の残りの部分の厚さより薄く、それがこの柔軟部の柔軟性を改善し、ケーブル導入口の取外しを容易にする。
【０００９】
その代りとして、各戻り止めが中間部の第１端でそれに結合してあり、フランジの周辺の方へ外方に伸びてもよい。
【００１０】
コアは、中間部の内周で半径方向に離れた柔軟舌片のような、歪み軽減をもたらすための手段も有してよい。その代りとして、歪み軽減をもたらすための手段は、コアに着脱式に結合可能である。
【００１１】
コアは、少なくとも部分的に柔軟な被覆によって囲まれてもよい。少なくとも中間部を被覆によって囲むならば、柔軟部に対する柔軟な支持となる。
【００１２】
歪み軽減をもたらすための手段は、被覆と一体に設けてもよい。コアの縦軸を伸びる内面を有する導入口が、この導入口にケーブルを挿入したときそれに当接するために設けてある。この面は、上記面とケーブルの間に摩擦をもたらし、導入口は、コアが支持する。
発明の更なる実施例は、従属請求項から明白だろう。
【発明の効果】
【００１３】
この発明の利点は、コアがこのコアを周囲材料に直ちに結合するためのロック手段のために、スペースを節約する設計を提供することである。更に、ロック手段がコアと一体に設けてあり、それが構成部品数および製造コストを低減し、スペースを節約する設計を提供する。また、ロック手段が周囲材料に直ちに結合するので、材料への取付けが非常に容易であり、それは、狭いスペースで組立てるときに好ましい。
【００１４】
発明の更なる目的、特徴、および利点は、発明の種々の態様を添付の図面を参照して更に詳しく説明する、発明の幾つかの実施例の以下の説明から明白だろう。
【実施例】
【００１５】
ケーブル１を、例えば、キュービクルに挿入する場合、例えば、キュービクルの内部環境を周囲環境または流体からどの程度封止すべきかを規定する、ＩＰ分類システムのような、気密度分類に関する国際標準がある。また、歪みを軽減するために、ケーブル１をこのキュービクルにある程度固定することが必要な物理的事情がある。材料の孔に挿入するために、ケーブル導入口またはロックグロメットが設けてある。
【００１６】
図１は、第1実施例のケーブル導入口装置１００を示す。
図２は、ケーブル１を挿入した、ケーブル導入口装置１００を断面で示す。ケーブル導入口は、ケーブルと材料の間のスペースを封止するために周囲材料に適合できる、好ましくはエラストマ製の被覆２００に囲まれたコア１１０を含む。
【００１７】
図３は、発明によるコア１１０の第１実施例を開示する。コア１１０は、軸方向に伸びる中間部１１１または支持要素を含み、それは、コア１１０の横支持体を備えてもよい。ロック手段が、コアを周囲材料の孔に挿入するとき、それおよびそれを囲む被覆を周囲材料に直ちに結合するために、中間部１１１の外周に結合してある。この実施例では、ロック手段がフランジ１１２、および中間部１１１に結合した戻り止め１１３ａ、１１３ｂを含む。コアを材料の孔に挿入する場合、この孔の直径がフランジ１１２の直径より小さい。また、戻り止め１１３ａ、１１３ｂの自由端間の距離がこの孔の直径より大きい。中間部１１１の直径は、この孔の直径より小さい。
【００１８】
図３のコアは、プラスチックを丈夫にする、軟化剤で軟化した、ポリアミド、例えば、ＰＡ６のような、柔軟性を有するプラスチックで作ってあるのが好ましい。
【００１９】
戻り止め１１３ａ、１１３ｂは、その一端が中間部１１１に結合してあり、且つこの中間部からフランジ１１２の周辺の方へ伸びる。柔軟性を有するコア１１０の材料のために、孔に通したときに戻り止め１１３ａ、１１３ｂの自由端は、中間部１１１の方へ押付けられる。それで、上記自由端間の距離は、この孔の直径より小さいだろう。この様に、コアを材料の孔に単純に通すことによって、戻り止め１１３ａ、１１３ｂの自由端が中間部の方へ押付けられる。孔に完全に通したとき、戻り止め１１３ａ、１１３ｂの自由端は、それらの最初の位置へ戻る。この様に、コアを戻り止め１１３ａ、１１３ｂおよびフランジ１１２によって周囲材料に固定し、そのフランジは、コア１１０をこの孔に押込むとき、ストッパを形成する。フランジ１１２は、コア１１０を孔の中を、好ましくはキュービクルの内部から外部まで、一方向に押通せることを防ぐ。戻り止め１１３ａ、１１３ｂは、コアを孔を通して逆方向に押戻すことを防ぐ。
【００２０】
発明の一実施例によれば、コア１１０が歪みを軽減するための手段を有してもよい。中間部１１２の内部に、僅かにケーブル１の挿入方向に向いた、半径方向に離れた柔軟なロック舌片１７が設けてある。コア１１０にケーブルを挿入するとき、これらの舌片がケーブルに当接する。ケーブルを逆方向に引張ると、これらの舌片からこのケーブルの方への圧力が増し、それで歪みの軽減がもたらされる。これらの舌片の長さは、以下に説明するように、変ってもよい。
【００２１】
図４ａおよび４ｂは、発明によるコア１５０のもう一つの実施例を開示する。コア１５０は、上に説明したような、剛性材料で作ってあるのが好ましい。このコアは、第１および第２中間部１５１ａ、１５１ｂ、並びに周囲材料の孔に挿入したときコア１５０をそれに固定するためのロック手段を含む。このロック手段は、フランジ１５２並びに第１および第２戻り止め１５３ａ、１５３ｂを含む。フランジ１５２は、図３で開示したフランジに対応する。戻り止め１５３ａ、１５３ｂは、脚または柔軟部１５４ａ、１５４ｂに結合してある。
【００２２】
フランジ１５２は、中間部１５１ａ、１５１ｂの第１端に結合してある。これらの中間部１５１ａ、１５１ｂは、フランジ１５２の内周からほぼ垂直に伸びる。柔軟部１５４ａ、１５４ｂの長さは、ほぼ中間部１５１ａ、１５１ｂの長さに対応する。戻り止め１５３ａ、１５３ｂは、柔軟部１５４ａ、１５４ｂの上部に結合してあり、且つそこからフランジ１５２の外周の方へ伸びる。戻り止めの先端１５５ａ、１５５ｂから、支持面１５６ａ、１５６ｂが柔軟部１５４ａ、１５４ｂの方へ伸びる。フランジ１５２の支持面１５７および戻り止め１５３ａ、１５３ｂの支持面１５６ａ、１５６ｂは、ほぼ平行である。
【００２３】
柔軟部１５４ａ、１５４ｂの基部１５８がフランジ１５２に隣接する中間部１５４ａ、１５４ｂに結合してある。それで、コア１５０の固有の材料特性はかなり堅いが、基部１５８の幅および厚さ、並びにその位置が、コアの横方向の柔軟部の柔軟性を与える。作動する際、フランジ１５２の支持面１５７および戻り止め１５３ａ、１５３ｂの支持面１５６ａ、１５６ｂがほぼ垂直であるので、柔軟部１５４ａ、１５４ｂに働く力は、これらの柔軟部のほぼ縦方向にである。この様に、基部１５８の厚さは、歪み軽減要件に従う寸法になっていてもよい。
【００２４】
以下に開示するように、少なくとも中間部１５４ａ、１５４ｂを被覆で囲むとき、柔軟部１５４ａ、１５４ｂをコア１５０の内側および外側で上記被覆によって支持する。それで、柔軟な、コアは、孔に通すとき、柔軟部１５４ａ、１５４ｂをコア１５０の中心の方へ押付けさせ、戻り止め１５３ａ、１５３ｂに孔を通り抜けさせる。完全に通ったとき、被覆は、柔軟部をそれらの最初の位置へ戻し、そこで戻り止めが直ちにコア１５０を周囲材料に結合する。コア、および被覆は、それを囲む材料から容易に取外すことができ、それでケーブル導入口を再利用できる。コアおよび被覆は、単純に戻り止め１５３ａ、１５３ｂをコアの中心の方へ内方へ押すことによって分離することができ、そこでそれを孔から取外すことができる。
【００２５】
基部１５８の厚さは、柔軟部１５４ａ、１５４ｂの残りの厚さより薄くてもよい。この様に、柔軟性は更に増してもよいのに対して、コア１５０の材料は、より堅くてさえよい。柔軟性を良くするためには、基部１５８の厚さが柔軟部１５４ａ、１５４ｂの厚さの約５０％である。しかし、この関係は、柔軟性および強度の要件に依って、小さくまたは大きく、更には同等であってさえよい。
柔軟部１５４ａ、１５４ｂは、中間部１５１ａ、１５１ｂにスロットを作ることによって設けてもよい。
【００２６】
図２、４ａおよび４ｂに示す実施例では、中間部１１１、１５１ａ、１５１ｂがほぼ円筒形で、コア１００、１５０の縦方向にフランジ１１２、１５２の内側からほぼ垂直に伸びる。しかし、中間部１１１、１５１ａ、１５１ｂは、僅かに円錐形でもよい。中間部１１１、１５１ａ、１５１ｂは、その代りに、材料の孔に嵌まる限り、多角形断面でもよい。更に、フランジ１１２、１５２は、中間部１１１、１５１ａ、１５１ｂの周りに円周方向に離間した幾つかの個々のフランジを形成する部分に分割してもよい。また、このコアの十分な固定をもたらす、任意数の戻り止め１１３ａ、１１３ｂ、１５３ａ、１５３ｂが可能である。
【００２７】
戻り止め１１３ａ、１１３ｂ、１５３ａ、１５３ｂ間の距離およびフランジ１１２、１５２の直径を変えることによって、コア１１０、１５０を異なる直径の孔に適応させることができる。更に、戻り止め１１３ａ、１１３ｂ、１５３ａ、１５３ｂの自由端／先端とフランジ１１２、１５２間の距離を変えることによって、コア１１０、１５０を異なる直径の孔に適応させることができる。
図４ａおよび４ｂに、舌片を備えるコア１５０を示す。しかし、このコアは、舌片なしで設けてもよい。
【００２８】
図５は、コア１１０、１５０を囲むための被覆２００を開示する。被覆２００の外周に、ケーブル導入口を孔に挿入するときに周囲材料を受けるための窪み２１０が設けてある。窪み２１０は、被覆と周囲材料の間のスペースを封止するために、窪み２１０の対向する側にフランジの形の第１および第２柔軟封止部材２２０、２３０を備える。
【００２９】
被覆２００は、それぞれ、被覆２００の第１および第２端部に設けた第１および第２円形切り口２４０、２４１を有する。空洞２４２がこれらの端部の間に出来ている。これらの端部が空洞２４２と共に、ケーブル１を挿入すべき通路を形成する。
【００３０】
上切り口２４０を囲む被覆の第１端は、柔軟なカラー２４３を形成し、ケーブル１を第１切り口２４０から挿入するとき、被覆２００とケーブル１の間を堅く封止する。
【００３１】
少なくとも一つのボス（図示せず）をカラー２４３の内部に設けてもよい。空洞２４２の中の真空の早期開放が、製造中に空洞を作る工具を第１切り口２４０から抜き出すときにこのボスによってもたらされる。これは、第２切り口２４１の貫通可能なシール（図示せず）を作る、非常に薄い膜の製造を可能にする。この貫通可能なシールは、円形孔を作るための工具を使うのではなく、単純にケーブル１をこのシールに通すことによって除去することが出来る。貫通可能なシールは、ケーブル１を挿入しなくても被覆２００を囲む材料の孔を封止することを可能にする。貫通可能なシールは、その代りに第１切り口２４０に設けてもよい。それで、ボスを第２切り口２４１の内側に設けてもよい。
【００３２】
空洞２４２は、コア１１０、１５０のフランジ１１２、１５２を受けるために円周方向に伸びるスロット２６０を含む。空洞２４２の内面は、中間部１１１、１５１ａ、１５１ｂを囲むだろう。戻り止め１１３、１５３ａ、１５３ｂは、被覆がそれを囲むとき、その切り口（図１）から外に伸びるだろう。
【００３３】
コア１１０を被覆２００で囲むとき、円筒形リップ２４６が舌片１１４を囲んでもよい。リップ２４６は、被覆から中間部１１１の方へ伸びる第２切り口２４１の側で被覆に結合してある。ケーブル１を第２切り口２４１に挿入するとき、リップ２４６で囲まれた舌片１１４が当接するが、ケーブル１を損傷しない。その代りに、リップ２４６が一部切り開かれる。更に、ケーブル１と被覆の間のスペースは、ケーブル１をそこに挿入するとき、封止される。
【００３４】
舌片１１４とリップ２４６は、ケーブル導入口に対するケーブル１の封止ロックをもたらし、そのロックは、ケーブル１をケーブル導入口に挿入するとき即座である。
【００３５】
図１で分るように、被覆２００は、戻り止め１１３ａ、１１３ｂ、１５３ａ、１５３ｂを受けるための切り口を備える。それで戻り止め１１３ａ、１１３ｂ、１５３ａ、１５３ｂは、被覆２００に被包されず、周囲材料に直接当接することが出来る。
【００３６】
材料の孔を押分けて進むべき、被覆２００の第２端は、直径がこの孔の直径より小さい。更に、第２封止部材２３０がこの被覆の第２端から第１封止部材２２０の方へ外方に伸びる。第２封止部材２３０の自由端で、直径は孔の直径より大きい。この孔を押分けて進むとき、第２封止部材２３０は、被覆２００の中心の方へ圧迫され、そこでは第２封止部材２３０と被覆２００の中心部の間の窪み２１０のために、ケーブル導入口を材料の孔に容易に挿入できる。
【００３７】
ケーブル導入口を材料の孔に挿入するとき、被覆２００の柔軟な第１封止部材２２０は、孔を囲む材料の第１側の縁から外方に拡がる。第１封止部材２２０の自由端がこの材料に当ると、それは、ケーブル導入口をこの孔を通して更に押し進めるとき、圧迫され孔から外方に摺動する。第２封止部材２３０が孔を完全に通り抜けると、第１封止部材は、被覆にバイアス力を働かせ、第２封止部材を被覆２００を囲む材料の第２側の方へ押付ける。この様にして、封止部材２２０、２３０の自由端がそれらの間に受ける材料に当接するので、被覆２００と周囲材料の間のスペースを封止する。その結果として、被覆２００と周囲材料の間のスペースを封止する。被覆２００がコアを囲むならば、被覆２００をロック手段によって材料の孔に固定し、且つ周囲材料の両側への封止をもたらす。
【００３８】
もう一つの実施例では、ロック手段が被覆の一部分として、むくゴムまたはエラストマー戻り止めとして設けてある。しかし、戻り止めの配置は、被覆と一体に作ってあるとはいえ、上に示した戻り止めと実質的に同じである。それで、これらのエラストマー戻り止めは、上に説明したのと同じ原理に従って被覆を固定するために、被覆２００の第１封止部材２２０の方へ外方に伸びる。被覆がコアを含むならば、中間部は、ケーブル導入口を孔の中に挿入するとき、各エラストマー戻り止めを受けるために切込み部を備える。
【００３９】
図６は、被覆４００の更に他の実施例を開示する。窪み４１０が、柔軟なフランジのような、第１および第２封止部材４２０、４３０を作るために被覆４００の外周に設けてある。被覆４００は、被覆を孔に挿入する間一時的に第２フランジ４３０を受けるための手段を含む。外側は封止部材４２０、４３０に面し、内側はコアを受けたときの中間部または空洞に面する、窪み４１０の片側が不規則面４４０を有する。不規則面４４０の第１部分４４１の直径は、その第２部分４４２の直径より大きい。第１部分４４１は、外側が第１封止部材４２０の内側に面する。第２部分４４２は、外側が第２封止部材４３０の内面に面する。第１および第２部分４４１、４４２の間の直径の差は、実質的に被覆４００の第２封止部材４３０の厚さの２倍に相当する。それで、被覆４００を孔に押込めるとき、第２封止部材４３０が不規則面４４０の第２部分内に受けられ、そこでは被覆４００を圧縮する必要が全くないので被覆を孔に通して押し進めることが容易でさえある。不規則面４４０の第１部分４４１の直径は、孔の直径より小さい。第１部分４４１の直径は、被覆４００を周囲材料に嵌め込む、孔の直径より僅かだけ小さいのが好ましい。対応して、不規則面４４０の第２部分４４２の直径プラスこの被覆４００の第２封止部材４３０の厚さの２倍は、孔の直径より僅かに小さい。
【００４０】
不規則面４４０の第１部分４４１の長さ、および不規則面４４０の全長は、被覆を孔に挿入するとき、上記第１部分が孔を少なくとも部分的に貫通するような寸法にしてある。それで、封止部材４２０、４３０が孔から外に伸びるとき、被覆は、第１部分４４１によって横方向に支持されるだろう。
【００４１】
図６に示す実施例による窪み４１０および封止部材４２０、４３０は、被覆を周囲材料の孔に押通すとき、異なる厚さの周囲材料に対する被覆の即時調整をもたらす。第１封止部材４２０は、被覆の上端から外方に伸びる。第２封止部材４３０は、被覆４００の第２端から外方に伸びる。封止部材４２０、４３０の厚さは、それらが不規則面４４０に対して少なくとも９０°柔軟であるようになっている。被覆４００を孔に挿入するとき、封止部材４２０、４３０の自由端は、孔から自動的に外方へ滑動するだろう。封止部材４２０、４３０の結合点間の距離が、特定の被覆が適する、材料厚さの範囲を決める。
【００４２】
被覆４００がコア１１０、１５０を含むなら、戻り止め１１３ａ、１１３ｂ、１５３ａ、１５３ｂの支持面１５５ａ、１５５ｂ間の距離および窪み４１０のサイズが、特定の被覆が適する、材料厚さの範囲を決める。
【００４３】
図７は、被覆５１０およびコア１５０を含むケーブル導入口５００を開示する。図７に関してはっきり説明してない被覆５１０の部品は、図６に関して説明した部品に対応する。被覆５１０は、被覆と一体の歪み軽減手段を含む。被覆５１０の空洞５３０に面する被覆５１０の第１端５２０の内側に、この空洞に挿入したときにケーブルに当接するためのフック５４０が設けてある。ケーブルを挿入するとき、柔軟なフックが被覆５１０の周囲の方へ押付けられる。ケーブルを逆方向に引張るとき、ケーブルとフック５４０の間の摩擦が歪み軽減をする。この逆方向に引張るケーブルが硬ければ硬いほど、摩擦がある量まで大きい。摩擦の量は、フック５４０の数および材料、並びにケーブルの被覆の材料に依存する。
【００４４】
被覆５００の第１端５２０と対向する円錐形の第２端５５０は、歪み軽減をもたらす手段を有してもよい。円錐形部の上端に内方に向く円形面５６０が設けてある。この円形面は、ほぼ被覆５１０の縦方向、即ち、ケーブルの挿入方向に伸びる。被覆５１０を通してケーブルを挿入するとき、この円形面がケーブルに当接し、そこでそれらの間に摩擦が生じるだろう。ケーブルを逆方向に引張るとき、この摩擦は、円錐形部５５０を圧縮させるだろう。それで、歪み軽減がもたらされ、その量は、円形面５６０のサイズおよび材料の種類、並びにケーブルの材料に依る。この歪み軽減を更に増すために、突起５７０を円錐部５５０の上端の外周に設けてもよい。ケーブルを後方に引張るとき、これらの突起５７０が円形面５６０をケーブルと平行のままであるようにし、そこで摩擦を維持する。円錐形端５５０が潰れない、即ち、ケーブル１の挿入と逆方向に伸びる限り、歪み軽減がもたらされるだろう。
【００４５】
図７の被覆５００がコア１５０を含むならば、円錐形端５５０が、圧縮されたとき、コア１５０のフランジ１５２の方へ押付けられるだろう。それで、被覆は、コアを囲むとき、より剛く、そこで円錐形部５５０を圧縮することが更に重い。この様に、歪み軽減を更に改善することさえ出来る。
【００４６】
図８ａおよび８ｂは、コア６１０および被覆６２０を有するケーブル導入口６００を開示する。着脱式歪み軽減手段６３０をケーブル導入口６００の一端でコア６１０に取付けてもよい。この歪み軽減手段は、上に開示したような舌片６４０を含む。これらの舌片の長さは、交互に長および短である。それで、この歪み軽減手段は、異なるサイズのケーブルに適合する。この歪み軽減手段は、コア６１０にスナップ嵌めした、二つの同等な半分を含んでもよい。この歪み軽減手段は、ケーブルをケーブル導入口６００に挿入したとき取外してもよく、そこではケーブルをケーブル導入口から除去してもよい。
【００４７】
ケーブル導入口がコアを含まなくてもよい。それで、上に開示したような被覆をコアなしに使ってもよく、それでもまだ、容易に押通すための不規則面および／または異なる厚さへの自動調整のような幾つかの利点がもたらされるかも知れない。
【００４８】
コアおよび被覆は、円形として開示した。しかし、それらは、それらが適合すべき孔の形状に依って同等に多角形でもよい。
被覆は、エラストマ、例えば、ＴＰＥ（熱可塑性エラストマ）、ＥＰＤＭ（エチレン・プロピレン・ジエン・モノマ）、またはクロロプレンのような、柔軟な材料で作る。
【００４９】
本発明を例としてキュービクルに適用できるとして説明した。しかし、発明は、この単一用途に限定されず、それは、電気制御キュービクル、計器収納箱、住宅設備、壁面ケーブル導入口、導管入口等のような、多くの他の用途の孔にも適用可能である。また、簡単のためにケーブルを参照したが、それは発明の範囲を限定することを意図しない。分るように、発明は、例えば、流体を運ぶための導管、またはワイヤに同等に使ってもよい。発明の範囲は、添付の独立請求項で最も良く定義する。
【図面の簡単な説明】
【００５０】
【図１】ケーブル導入口装置の斜視図である。
【図２】ケーブルを挿入したケーブル導入口装置の断面図である。
【図３】歪み軽減のための手段を含むコアの第１実施例の斜視図である。
【図４ａ】コアを固定するための手段を含むコアの第２実施例の斜視図である。
【図４ｂ】コアを固定するための手段を含むコアの第２実施例の斜視図である。
【図５】被覆の断面図である。
【図６】被覆のもう一つの実施例の断面図である。
【図７】図４ａおよび４ｂのコアを囲む被覆のもう一つの実施例の断面図である。
【図８ａ】コア、被覆および歪み軽減用着脱式手段を含むケーブル導入口の断面図である。
【図８ｂ】コア、被覆および歪み軽減用着脱式手段を含むケーブル導入口の断面図である。
【図１】
2007524213.tif 000003
【図２】
2007524213.tif 000004
【図３】
2007524213.tif 000005
【図４ａ】
2007524213.tif 000006
【図４ｂ】
2007524213.tif 000007
【図５】
2007524213.tif 000008
【図６】
2007524213.tif 000009
【図７】
2007524213.tif 000010
【図８ａ】
2007524213.tif 000011
【図８ｂ】
2007524213.tif 000012
【国際調査報告】
2007524213.tif 000013
2007524213.tif 000014